(57)【要約】【課題】緊急通報先へ自らの地理的位置をより早く知らせることができる通信装置とその通信システムを提供する。【解決手段】緊急通報先との通話を開始させるときに（ステップＳＴ１０４）、ＧＰＳ測位部４へ測位開始の指示が与えられる（ステップＳＴ１０５）。この測位開始指示に応じてＧＰＳ測位部４より出力される位置情報が、ＤＴＭＦ信号として緊急通報先に送信される。したがって、緊急通報先からの遠隔操作により測位が開始される通信システムに比べて、より早く通信装置の地理的位置を測位し、その位置情報を緊急通報先へ送信することができる。【選択図】図５
2005079693.tif 000002
【特許請求の範囲】
【請求項１】
自らの地理的位置の測位を行い、当該測位結果に応じた位置情報を出力する測位手段と、
所定の通報先との通話を開始させるときに、上記測位手段へ上記測位開始の指示を与え、当該指示に応じて上記測位手段より出力される上記位置情報を上記通報先へ送信させる制御手段と、
を有することを特徴とする通信装置。
【請求項２】
通話時の音声を入力するための音声入力手段を有し、
上記制御手段は、上記位置情報を上記通報先へ送信させる期間において、上記音声入力手段から入力される音声信号の上記通報先への送信を停止させることを特徴とする、
請求項１に記載の通信装置。
【請求項３】
通話信号の通信処理を行う第１の通信処理手段と、
データ信号の通信処理を行う第２の通信処理手段とを有し、
上記制御手段は、上記第１の通信処理手段において上記通報先との通話を実行させるとともに、当該通話と並行して、上記第２の通信処理手段から上記通報先へ上記位置情報を送信させる、
請求項１に記載の通信装置。
【請求項４】
上記制御手段は、上記測位手段における測位の途中で上記通報先との接続が切断された場合、上記測位手段における当該測位の完了時点から所定期間内に上記通報先との通話が開始されたならば、当該測位の結果として上記測位手段より出力される位置情報を上記通報先へ送信させることを特徴とする、
請求項１から３の何れか一に記載の通信装置。
【請求項５】
上記制御手段は、上記測位手段における測位の途中で上記通報先との接続が切断された後、当該測位の途中で上記通報先との通話を再開させる場合、当該測位の結果として上記測位手段より出力される位置情報を上記通報先へ送信させることを特徴とする、
請求項１から４の何れか一に記載の通信装置。
【請求項６】
上記制御手段の指示に応じた情報を出力するユーザインターフェース手段を有し、
上記制御手段は、上記位置情報が上記通報先へ送信される期間において、当該送信期間中であることを知らせる情報をユーザインターフェース手段から出力させることを特徴とする、
請求項１から５の何れか一に記載の通信装置。
【請求項７】
上記制御手段は、上記測位手段における測位が完了した場合、当該測位の完了を知らせる情報を上記ユーザインターフェース手段から出力させ、当該情報の出力後、上記ユーザインターフェース手段において所定の入力操作が行われたならば、上記位置情報の上記通報先への送信を実行させることを特徴とする、
請求項１から６の何れか一に記載の通信装置。
【請求項８】
所定の通報先に自らの地理的位置の情報を送信可能な第１の通信装置と、上記第１の通信装置から上記通報を受ける第２の通信装置とを有する通信システムであって、
上記第１の通信装置は、
自らの地理的位置の測位を行い、当該測位結果に応じた位置情報を出力する測位手段と、
上記第２の通信装置との通話を開始させるときに、上記測位手段へ上記測位開始の指示を与え、当該指示に応じて上記測位手段より出力される上記位置情報を上記第２の通信装置へ送信させる制御手段と、を有し、
上記第２の通信装置は、
上記第１の通信装置との通話中に上記第１の通信装置から送信される上記位置情報を取得する位置情報取得手段を有することを特徴とする、
通信システム。
【請求項９】
上記位置情報取得手段は、上記第１の通信装置との通話信号の中から上記位置情報に対応する信号を抽出する、
請求項８に記載の通信システム。
【発明の詳細な説明】
【技術分野】
【０００１】
本発明は携帯電話などの通信装置とその通信システムに係り、特に、ＧＰＳなどの測位手段によって得られた地理的位置の情報を所定の通報先に通報することが可能な通信装置とその通信システムに関するものである。
【背景技術】
【０００２】
携帯電話の普及に伴って、警察や消防署などへの緊急通報も携帯電話から行われるケースが増えている。携帯電話は自由に持ち運ぶことが可能であり、固定電話のように発信者の位置が定まっていないため、これを用いて緊急通報を行う場合、通報者は通報先へ自分の位置を音声通話により伝えなければならない。しかしながら、緊急通報を行う通報者がけがなど非常事態に陥っていると、通報相手へ自らの位置をうまく伝えることができない可能性がある。そのため、携帯電話の位置をその通報先が自動的に把握できるような仕組みを設けることが要望されている。
【０００３】
特許文献１には、基地局と携帯電話との通信における電波の強度と各基地局の位置の情報とに基づいて、緊急通報を行った携帯電話の位置を自動的に特定することができる緊急通報システムについての技術が記載されている。
【０００４】
上記のシステムは、位置情報管理センターにおいて携帯電話の位置を特定するものであるが、その逆に、携帯電話から緊急通報先へ位置情報を伝える方法も提案されている。
【０００５】
例えば、建造物等に予め記された地理的位置を示す情報を通報者が入力し、ＤＴＭＦ（dial tone multi frequency）信号によって緊急通報先に伝送する方法が提案されている。
【０００６】
また、ＧＰＳ（global positioning system）と称される人工衛星からの信号を利用した測位装置が、車載のナビゲーション装置を中心として広く普及しており、携帯電話への搭載が可能になりつつある。
そこで、ＧＰＳ受信機を備えた携帯電話に緊急通報先から遠隔操作によって測位を開始させ、その測位結果を緊急通報先へ送出させることにより携帯電話の位置を特定する方法も提案されている。
【特許文献１】特開２００１−１３６５６３号公報
【発明の開示】
【発明が解決しようとする課題】
【０００７】
しかしながら、上述したように位置情報を通報者が手動で入力する方法では、位置情報の入力ミスを生じる可能性がある上に、携帯電話の操作もままならない程の非常事態の場合には、位置情報を緊急通報先へ伝送することができないという不利益がある。
【０００８】
また、緊急通報先から遠隔操作によってＧＰＳ受信機の測位を開始させる方法では、通報者が緊急通報先へ発信を開始してから遠隔操作により測位が開始されるまでの間に無駄な時間が存在する。一刻の猶予もない緊急時においては、こうした無駄な時間のために重大な事態を招いてしまう恐れがある。
【０００９】
本発明はかかる事情に鑑みてなされたものであり、その目的は、所定の通報先へ自らの地理的位置をより早く知らせることができる通信装置とその通信システムを提供することにある。
【課題を解決するための手段】
【００１０】
本発明の第１の観点の通信装置は、自らの地理的位置の測位を行い、当該測位結果に応じた位置情報を出力する測位手段と、所定の通報先との通話を開始させるときに、上記測位手段へ上記測位開始の指示を与え、当該指示に応じて上記測位手段より出力される上記位置情報を上記通報先へ送信させる制御手段とを有する。
【００１１】
上記制御手段は、上記測位手段における測位の途中で上記通報先との接続が切断された場合、上記測位手段における当該測位の完了時点から所定期間内に上記通報先との通話が開始されたならば、当該測位の結果として上記測位手段より出力される位置情報を上記通報先へ送信させても良い。
【００１２】
上記制御手段は、上記測位手段における測位の途中で上記通報先との接続が切断された後、当該測位の途中で上記通報先との通話を再開させる場合、当該測位の結果として上記測位手段より出力される位置情報を上記通報先へ送信させても良い。
【００１３】
本発明の第２の観点は、所定の通報先に自らの地理的位置の情報を送信可能な第１の通信装置と、上記第１の通信装置から上記通報を受ける第２の通信装置とを有する通信システムであって、上記第１の通信装置は、自らの地理的位置の測位を行い、当該測位結果に応じた位置情報を出力する測位手段と、上記第２の通信装置との通話を開始させるときに、上記測位手段へ上記測位開始の指示を与え、当該指示に応じて上記測位手段より出力される上記位置情報を上記第２の通信装置へ送信させる制御手段と、を有し、上記第２の通信装置は、上記第１の通信装置との通話中に上記第１の通信装置から送信される上記位置情報を取得する位置情報取得手段を有する。
【発明の効果】
【００１４】
本発明によれば、所定の通報先へ自らの地理的位置をより早く知らせることができる。
【発明を実施するための最良の形態】
【００１５】
図１は、本発明の実施形態に係る通信システムの構成の一例を示すブロック図である。
図１に例示する通信システムは、携帯電話網を利用して無線通信を行う通信装置１００と、この携帯電話網に公衆電話交換網を介して接続され、警察や消防署、警備会社などへの緊急通報を受信する通信装置２００とを有する。
【００１６】
図２は、本発明の実施形態に係る通信装置１００の外観の一例を図解した図である。
通信装置１００の本体１は丸みを帯びた長方形の板状の形態を有しており、当該長方形の隅の部分には、当該長方形の長手方向に向かって平行に伸びる筒状のアンテナ７が設けられている。
また、本体１の正面部には、表示部２の矩形の画像表示用パネルが、当該長方形の中央からアンテナ７寄りの位置に設けられている。正面部の残りの面には、この画像表示用パネルに隣接して、キー操作部３の１５個の押しボタンスイッチが３×１５のマトリクス状に整列して配置されている。
更に、正面部のアンテナ７側の縁に隣接して、スピーカ７からの音を出力するための穴が空けられており、その反対側の縁に隣接する部分には、マイク５へ音を入力するための穴が空けられている。
このほか図２には、本体１の内側に内蔵されているＧＰＳ測位部４が点線で図示されている。
【００１７】
図３は、本発明の実施形態に係る通信装置１００の構成の一例を示すブロック図である。
図３に例示する通信装置１００は、表示部２と、キー操作部３と、ＧＰＳ測位部４と、マイク５と、スピーカ６と、アンテナ７と、ＧＰＳ制御部８と、音声処理部９と、通信処理部１０と、制御部１１とを有する。
なお、ＧＰＳ測位部８は、本発明の測位手段の一実施形態である。
制御部１１およびＧＰＳ制御部８を含むユニットは、本発明の制御手段の一実施形態である。
マイク５は、本発明の音声入力手段の一実施形態である。
表示部２、キー操作部３、マイク５、およびスピーカ６を含むユニットは、本発明のユーザインターフェース手段の一実施形態である。
【００１８】
表示部２は、例えば液晶ディスプレイパネルや有機ＥＬパネルなどの表示素子を含み、制御部１１の制御に従って所定の画像を表示する。また、表示部２は、制御部１１の制御に従って明滅する発光ダイオードなどの発光素子を含んでも良い。
【００１９】
キー操作部３は、押しボタンスイッチなどの入力操作機構を有し、ユーザの入力操作に応じた情報を制御部１１へ入力する。
【００２０】
ＧＰＳ測位部４は、ＧＰＳ制御部８の制御に従ってＧＰＳ測位を行い、その測位結果の位置情報をＧＰＳ制御部８へ出力する。
【００２１】
マイク５は、入力される音を電気的な音声信号に変換して音声処理部９に出力する。
【００２２】
スピーカ６は、音声処理部９から入力される電気的な音声信号を音に変換して出力する。
【００２３】
アンテナ７は、空間を伝播する無線信号を受信して通信処理部１０に入力するとともに、通信処理部１０から出力される無線信号を空間へ放射する。
【００２４】
ＧＰＳ制御部８は、制御部１１の制御に従ってＧＰＳ測位部４に測位開始を指示するとともに、ＧＰＳ測位部４において測位が完了した場合には、制御部１１へ測位の完了を示す割り込み信号を出力し、測位結果の位置情報を制御部１１へ出力する。
【００２５】
なお、ＧＰＳ測位部４の測位が完了した時点より所定期間内に制御部１１から再び測位開始要求が入力された場合、ＧＰＳ制御部８は、ＧＰＳ測位部４の測位を開始させずに、前回の測位によって得られた位置情報を通信装置２００へ出力する。
また、ＧＰＳ測位部４における測位の途中で通信装置２００から再び測位開始要求が入力された場合、ＧＰＳ制御部８は、現在測位中であることを制御部１１へ通知し、ＧＰＳ測位部４における測位を続行させる。そして、当該測位が完了したときに、制御部１１へ測位完了の割り込み信号を出力する。
【００２６】
音声処理部９は、マイク５からの音声信号をデジタル信号に変換して所定の符号化処理を施し、その処理結果の音声データを制御部１１へ出力する。また、制御部１１から入力される音声データに所定の復号化処理を施してアナログの音声信号に変換し、これをスピーカ６に出力する。
【００２７】
通信処理部１０は、制御部１１から出力される送信データに所定の変調処理を施して無線信号に変換し、アンテナ７に出力する。また、アンテナ７において受信された無線信号に所定の復調処理を施して受信データを再生し、制御部１１に出力する。
【００２８】
制御部１１は、通信装置１００の全般的な動作に係わる種々の処理を行う。
例えば、音声通話に関する処理として、キー操作部３におけるキー入力操作に応じて通信処理部１１０の発呼，着信のシーケンスを制御する処理や、音声処理部９において入出力される音声データを通信処理部１０において送受信させる処理を行う。
【００２９】
また制御部１１は、緊急通報に関する処理として、通信装置２００との通話を開始させるときに、ＧＰＳ制御部８に対して測位開始の指示を与える。
そして、ＧＰＳ測位部４の測位が完了したことを示す割り込み信号をＧＰＳ制御部８から入力すると、制御部１１は、ＧＰＳ制御部８から測位結果の位置情報を入力し、これをＤＴＭＦ信号に変換して通信処理部１０から通信装置２００へ送信させる。
【００３０】
なお、制御部１１は、位置情報をＤＴＭＦ信号として通信装置２００へ送信させる期間において、音声処理部９から入力される音声信号の通信装置２００への送信を停止させる。
これにより、通信装置２００では、音声を含まない明瞭なＤＴＭＦ信号が受信される。
【００３１】
また、制御部１１は、位置情報がＤＴＭＦ信号として通信装置２００へ送信される期間において、位置情報の送信期間中であることを知らせる所定の情報をスピーカ６や表示部２などのユーザインターフェースから出力させる。
【００３２】
図４は、通信装置２００の構成の一例を示すブロック図である。
図４に例示する通信装置２００は、アナログ通信処理部２０と、スピーカ２１と、マイク２２と、表示部２３と、キー操作部２４と、制御部２５とを有する。
なお、制御部２５は、本発明の位置情報取得手段の一実施形態である。
【００３３】
アナログ通信処理部２０は、公衆回線交換網から入力されるアナログの通話信号Ｓ１を所定の復調方式で復調して音声信号に変換し、スピーカ２１に出力する。また、マイク２２より入力される音声信号を所定の変調方式で変調し、アナログの通話信号Ｓ１として公衆回線交換網に出力する。
【００３４】
スピーカ２１は、アナログ通信処理部２０から入力される音声信号を音に変換して出力する。
マイク２２は、入力される音を電気的な音声信号に変換してアナログ通信処理部２０に出力する。
表示部２３は、制御部２５の制御に従って所定の画像を表示する。
キー操作部２４は、ユーザの入力操作に応じた情報を制御部２５へ入力する。
【００３５】
制御部２５は、アナログ通信処理部２０において通信装置１００との通話が開始されると、その通話信号の中に位置情報として送信されたＤＴＭＦ信号が含まれているか監視する。そして通話信号から当該ＤＴＭＦ信号を検知すると、そのＤＴＭＦ信号をデコード処理して位置情報を取得する。
【００３６】
制御部２５は、取得した位置情報に基づいて、例えばその位置情報に対応する住所を特定してその情報を表示部２３に表示させたり、あるいは、その位置の周辺の地図を画像として表示部２３に表示させる。
【００３７】
次に、上述した構成を有する通信装置１００の緊急通報動作について説明する。
【００３８】
図５および図６は、通信装置１００の緊急通報動作の一例を図解した第１の処理フロー図である。
【００３９】
キー操作部３において通信装置２００の電話番号が入力されると（ステップＳＴ１０１）、制御部１１は、その電話番号を表示部２に表示させ（ステップＳＴ１０２）、その表示の完了通知を表示部２から入力する（ステップＳＴ１０３）。
【００４０】
次いで、キー操作部３において発信開始を指示するボタンが押されると（ステップＳＴ１０４）、制御部１１は、発信先の電話番号が所定の緊急通報先である場合に、ＧＰＳ制御部８に対してＧＰＳ測位の開始を指示し（ステップＳＴ１０５）、通信処理部１０へ上記電話番号への発信を開始させる（ステップＳＴ１０６）。
また、発信中であることを知らせる所定の画面を表示部２において表示させ（ステップＳＴ１０７）、その表示の完了通知を表示部２から入力する（ステップＳＴ１０８）。
さらに、音声処理部９におけるスピーカ６への音声出力処理およびマイク５からの音声入力処理を起動させる（ステップＳＴ１０９，ＳＴ１１０）。
【００４１】
通信装置２００との接続の完了を知らせる信号が通信処理部１０において受信されると（ステップＳＴ１１１）、制御部１１は、通話中であることを知らせる所定の画面を表示部２において表示させ（ステップＳＴ１１２）、その表示の完了通知を表示部２から入力する（ステップＳＴ１１３）。
以上により、通信装置２００との通話が開始される。
【００４２】
通信装置２００との通話中にＧＰＳ制御部８からＧＰＳ測位の完了を知らせる割り込み信号を入力すると（ステップＳＴ１１４）、制御部１１は、スピーカ６からＤＴＭＦ信号の送信中を知らせるアナウンス音声を出力させるとともに、マイク５からの音声入力処理を停止させるように音声処理部９を制御する（ステップＳＴ１１５，ＳＴ１１６）。そして、通信処理部１０から位置情報としてのＤＴＭＦ信号を送出させる（ステップＳＴ１１７）。
【００４３】
ＤＴＭＦ信号の送出完了を知らせる信号が通信処理部１０において受信されると（ステップＳＴ１１８）、制御部１１は、ＤＴＭＦ信号の送信中を知らせるスピーカ６からのアナウンス音声出力を停止させるとともに、マイク５からの音声入力処理を起動させるように音声処理部９を制御する（ステップＳＴ１１９，ＳＴ１２０）。
そして、制御部１１は、位置情報の送信が完了したことを知らせる所定の画面を表示部２において表示させ（ステップＳＴ１２１）、その表示の完了通知を表示部２から入力する（ステップＳＴ１２２）。
以上により、ＤＴＭＦ信号の送出が完了し、通信装置２００との通話が再開される。
【００４４】
通信装置２００との通話が終了し、キー操作部３において終話ボタンが押されると（ステップＳＴ１２３）、制御部１１は、通信処理部１０から通話の切断を要求する信号を送信させ（ステップＳＴ１２４）、スピーカ６およびマイク５からの音声入出力処理を停止させるように音声処理部９を制御する（ステップＳＴ１２５，ＳＴ１２６）。その後、通話の切断完了を示す信号が通信処理部１０において受信されると（ステップＳＴ１２７）、制御部１１は通話の終了を認識し、待ち受け画面を表示部２において表示させるなどの処理を行う。
【００４５】
上述した図５および図６に示す第１の処理フロー図の動作では、１回の発信操作で通信装置２００への位置情報の送出に成功しているが、電波の伝播状態の影響などにより、通信装置２００との接続に失敗することも起こり得る。
以下では、ＧＰＳ測位の開始後に通信装置２００との接続が失敗する場合の動作例について、第２の処理フロー図（図７、図８）および第３の処理フロー図（図９、図１０）を参照して説明する。
【００４６】
図７および図８は、通信装置１００の緊急通報動作の一例を図解した第２の処理フロー図である。
【００４７】
第２の処理フロー図におけるステップＳＴ２０１〜ＳＴ２１０の発信動作は、上述した第１の処理フロー図におけるステップＳＴ１０１〜ＳＴ１１０の発信動作と同じである。
第２の処理フロー図では、この発信動作による接続が失敗し、通信処理部１０から制御部１１へその失敗が通知される（ステップＳＴ２１１）。
【００４８】
接続の失敗が通知されると、制御部１１は、所定の待ち受け画面を表示部２に表示させ（ステップＳＴ２１２）、その表示の完了通知を表示部２から入力する（ステップＳＴ２１３）。
その後、制御部１１は、ＧＰＳ測位の完了をＧＰＳ制御部８から通知される（ステップＳＴ２１４）。
【００４９】
次に、１回目の発信動作が接続失敗に終わったことを受けて、これと同様な２回目の発信動作が行われる（ステップＳＴ２１５〜ＳＴ２２１）。
すなわち、キー操作部３において通信装置２００の電話番号が入力され（ステップＳＴ２１５）、その電話番号が表示部２に表示され（ステップＳＴ２１６）、表示の完了が制御部１１に通知される（ステップＳＴ２１７）。次いで、キー操作部３において発信開始を指示するボタンが押され（ステップＳＴ２１８）、ＧＰＳ制御部８に対してＧＰＳ測位の開始が指示され（ステップＳＴ２１９）、通信処理部１０において上記電話番号への発信が開始される（ステップＳＴ２２０）。また、発信中であることを知らせる所定の画面が表示部２において表示される（ステップＳＴ２２１）。
【００５０】
一方、ＧＰＳ制御部８は、前回に行われたＧＰＳ測位の結果を保持しており、制御部１１から再び測位開始要求が入力されると（ステップＳＴ２１９）、前回の測位の完了時点から測位開始要求の入力時点までの経過時間を算出する。そして、この経過時間が所定の時間（例えば１分）より短い場合、ＧＰＳ測位部４の測位を開始させないまま制御部１１へ測位の完了を通知し、前回の測位によって得られた位置情報を制御部１１に出力する（ステップＳＴ２２２）。
【００５１】
ＧＰＳ制御部８からこの位置情報を入力すると、制御部１１は、第１の処理フロー図におけるステップＳＴ１１４以降と同様の処理を実行して、位置情報を通信装置２００に送出させる。
【００５２】
図９および図１０は、通信装置１００の緊急通報動作の一例を図解した第３の処理フロー図である。
【００５３】
第３の処理フロー図におけるステップＳＴ３０１〜ＳＴ３１０の発信動作は、上述した第１の処理フロー図におけるステップＳＴ１０１〜ＳＴ１１０の発信動作と同じである。
第３の処理フロー図では、第２の処理フロー図と同様に、この発信動作による接続が失敗し、通信処理部１０から制御部１１へその失敗が通知される（ステップＳＴ３１１）。
【００５４】
接続の失敗が通知されると、制御部１１は、第２の処理フロー図と同様に、所定の待ち受け画面を表示部２に表示させ（ステップＳＴ３１２）、その表示の完了通知を表示部２から入力する（ステップＳＴ３１３）。
【００５５】
上述した第２の処理フロー図における動作では、この画面表示処理の後、２回目の発信動作が開始される前にＧＰＳ測位が完了している（ステップＳＴ２１４）。これに対し、第３の処理フロー図における動作では、ＧＰＳ測位が完了する前に２回目の発信動作が開始される。
【００５６】
２回目の発信動作（ステップＳＴ３１４〜ＳＴ３２０）は、１回目の発信動作（ステップＳＴ３０１〜ＳＴ３０７）と同様である。
すなわち、キー操作部３において通信装置２００の電話番号が入力され（ステップＳＴ３１４）、その電話番号が表示部２に表示され（ステップＳＴ３１５）、表示の完了が制御部１１に通知される（ステップＳＴ３１６）。次いで、キー操作部３において発信開始を指示するボタンが押され（ステップＳＴ３１７）、ＧＰＳ制御部８に対してＧＰＳ測位の開始が指示され（ステップＳＴ３１８）、通信処理部１０において上記電話番号への発信が開始される（ステップＳＴ３１９）。また、発信中であることを知らせる所定の画面が表示部２において表示される（ステップＳＴ３２０）。
【００５７】
一方、ＧＰＳ制御部８は、制御部１１からの測位開始要求を受けてＧＰＳ測位部４の測位を開始させた後、その測位が完了する前に再び制御部１１から測位開始要求が入力されると（ステップＳＴ３１８）、ＧＰＳ測位部４における測位をそのまま続行させつつ、制御部１１に対してＧＰＳ測位が実行中であることを通知する（ステップＳＴ３２１）。
【００５８】
ＧＰＳ制御部８からＧＰＳ測位中の通知を受けると、制御部１１は、第１の処理フロー図におけるステップＳＴ１０９以降と同様の処理によって通信装置２００との通話を開始させる。そして、ＧＰＳ制御部８からＧＰＳ測位の完了通知を受けた場合に、第１の処理フロー図におけるステップＳＴ１１５以降と同様の処理によって位置情報を通信装置２０００に送出させる。
【００５９】
以上説明したように、本発明の実施形態に係る通信装置１００によれば、所定の通報先との通話を開始させるときに、ＧＰＳ測位部４へ測位開始の指示が与えられ、当該指示に応じてＧＰＳ測位部４より出力される位置情報が上記通報先へ送信される。
したがって、通報先からの遠隔操作により測位が開始される場合に比べて、より早く通信装置１００の地理的位置を測位し、その位置情報を通報先へ送信することができる。
【００６０】
また、ＧＰＳ測位部４における測位の途中で通信装置２００との接続が切断された場合、当該測位の完了時点から所定期間内に通信装置２００との通話が開始されたならば、当該測位の結果としてＧＰＳ制御部８より入力される位置情報が通信装置２００へ送信される。
したがって、ＧＰＳ測位中に通信装置２００との接続に失敗した場合や、通話途中で接続が切れた場合でも、その後比較的短い期間内に通信装置２００との通話が開始された場合には、直前に得られた位置情報をいち早く通信装置２００へ伝送することができる。
【００６１】
更に、ＧＰＳ測位部４における測位の途中で通信装置２００との接続が切断された後、当該測位の途中で通信装置２００との通話が再開される場合、当該測位の結果としてＧＰＳ制御部８より出力される位置情報が通信装置２００へ送信される。
したがって、ＧＰＳ測位中に通信装置２００との接続が切断された後に通信装置２００との通話が再開されたとき、ＧＰＳ測位部４における当該測位が続行中であれば、当該測位の結果を通信装置２００へ伝送することができる。これにより、ＧＰＳ測位を再び初めから繰り返す場合に比べて、より早く通信装置２００へ位置情報を伝送することができる。
【００６２】
また、位置情報をＤＴＭＦ信号として通信装置２００へ送信させる期間において、音声処理部９から入力される音声信号の通信装置２００への送信が停止されるため、通信装置２００では、音声を含まない明瞭なＤＴＭＦ信号を受信することができる。
【００６３】
加えて、位置情報がＤＴＭＦ信号として通信装置２００へ送信される期間において、位置情報を送信中であることを知らせる所定の情報がスピーカ６や表示部２などのユーザインターフェースから出力されるため、緊急通報先との通話中にＤＴＭＦ信号の送出が開始されて通話が中断しても、ユーザはその意味を正しく理解することができ、操作に戸惑うことがない。
【００６４】
なお、本発明は上述した実施形態に限定されず、次に述べるような種々の改変が可能である。
【００６５】
上述した実施形態においてＧＰＳ測位部４に測位開始の指示を与えるタイミングは、予め登録された緊急通報先の電話番号がキー操作部３において入力されて発信ボタンが押された後であるが、本発明はこの例に限定されない。例えば、発信ボタンが押された後に電話番号の入力操作が行われる場合には、入力された電話番号が所定の緊急通報先であると認識して通信処理部１０から発呼信号を送信するときに測位を開始させても良い。
また、音声処理部９から入力されるマイク５の音声が所定の音声パターンに一致するか否かによって緊急通報動作を開始させる場合や、キー操作部３において所定のキー入力操作が所定時間以上なされていないことを検知して緊急通報の開始させる場合には、当該緊急通報の開始が決定されたときに、測位を開始させても良い。
【００６６】
上述した実施形態では、位置情報が緊急通報先へ送信される期間において、当該送信期間中であることを知らせる情報を音声アナウンスとして出力させているが、本発明はこれに限定されず、例えば表示部に所定の画像を表示させたり、発光素子を発光させたり、モータ等で振動を発生させても良い。
【００６７】
上述した実施形態では、ＧＰＳ測位部４における測位が完了した場合に位置情報が自動的に緊急通報先へ伝送されるが、本発明はこれに限定されない。例えば、測位部における測位が完了した場合に、当該測位の完了を知らせる情報を音や光、振動などとしてユーザインターフェース部から出力させ、当該情報の出力後、押しボタンスイッチなどのユーザインターフェース部に対して所定の入力操作が行われたならば、位置情報の緊急通報先への送信を実行させても良い。
これにより、例えば誤って緊急通報先の電話番号を入力した場合に、緊急通報先へ位置情報が自動送信されることを防止できる。
【００６８】
上述した実施形態では、測位手段としてＧＰＳを用いる例が説明されているが、これに限らず、自らの地理的位置を測位して位置情報を出力するものであれば、他の測位手段を用いても良い。
【００６９】
また、上述した実施形態では、位置情報をＤＴＭＦ信号として通話信号中に重畳する例が説明されているが、本発明はこれに限定されない。例えば次に述べる図１１および図１２に示すように、通話信号とデータ信号とを並行して伝送することが可能な通信装置を有する通信システムにおいて、位置情報をデータ信号として緊急通報先に伝送させることも可能である。
【００７０】
図１１は、本発明の他の実施形態に係る通信装置１００Ａの構成の一例を示すブロック図であり、図３と図１１の同一符号は同一の構成要素を示す。
図１１に例示する通信装置１００Ａは、上述した通信装置１００と同様の構成を有するとともに、アンテナ１２と、通信処理部１３とを有している。
通信処理部１３は、制御部１１の制御に従ってデータ信号の送受信処理を行うユニットであり、アンテナ１２は、通信処理部１３から出力される無線信号の送受信を行う。
制御部１１は、ＧＰＳ測位部４から出力される位置情報を、この通信処理部１３によって後述の通信装置２００Ａに送信する。
【００７１】
図１２は、本発明の他の実施形態に係る通信装置２００Ａの構成の一例を示すブロック図であり、図４と図１２の同一符号は同一の構成要素を示す。
図１２に例示する通信装置２００Ａは、上述した通信装置２００と同様の構成を有するとともに、データ通信処理部２６を有している。
データ通信処理部２６は、例えばインターネットなど、アナログ通信処理部２０とは別の通信網に接続されており、この通信網を介して伝送される通信装置１００Ａからの位置情報を受信して、制御部２５に出力する。
制御部２５は、デジタル通信処理部２６から入力した通信装置１００Ａの位置情報を処理して、住所や地図などの情報を表示部２３に表示させる。
【００７２】
以上のような通信システムにおいても、所定の通報先との通話を開始させるときにＧＰＳ測位部４へ測位開始の指示が与えられるため、より早く通信装置１００Ａの地理的位置を測位して、その位置情報を通信装置２００Ａへ送信することができる。また、通信装置１００Ａから通信装置２００Ａへ位置情報が送出される期間においても音声通話を続けることができる。
【００７３】
また、ＧＰＳ測位部４において取得する位置情報は、少なくとも緊急通報先において位置を特定することが可能な情報であれば良い。したがって、例えば経度・緯度の情報や、文字による住所情報などのように具体的な情報でも良いし、あるいは、人工衛星から受信した信号そのもののように、具体的な位置を算出するために計算が必要な情報でも良い。
【００７４】
例えば、緊急通報以外の通常の使用において、人工衛星から受信した信号を通信事業者により管理される位置情報計算サーバへ伝送して位置情報を計算する通信システムでは、通信装置１００（１００Ａ）のＧＰＳ測位部４において経度・緯度などの具体的情報を取得することができない。
【００７５】
このように、通信装置１００（１００Ａ）から伝送される位置情報が具体的な位置を示す情報でない場合には、この位置情報に基づいた具体的位置の計算処理を通信装置２００（２００Ａ）において実行させても良い。あるいは、上述の位置情報計算サーバと同様な装置へ通信装置２００（２００Ａ）が取得した位置情報を転送し、そこで具体的位置の計算処理を実行させても良い。
【００７６】
更に、図１１に示す通信装置１００Ａのように、通話用とデータ通信用とで独立した通信路を使用し通信を行う通信装置（例えばＷ−ＣＤＭＡ方式の通信装置）の場合には、ＧＰＳ測位部４において取得した未処理の位置情報をデータ通信用の通信路で通信事業者の位置情報計算サーバに伝送して処理させ、その処理結果として得られる具体的な位置情報を通信装置２００Ａへ伝送しても良い。これにより、通常使用時および緊急通報時の何れにおいても、位置情報計算サーバにおいて具体的位置の計算処理を実行させることができるため、緊急通報先の通信装置２００Ａにおいて同様な装置を設ける必要がなくなる。
【図面の簡単な説明】
【００７７】
【図１】本発明の実施形態に係る通信システムの構成の一例を示すブロック図である。
【図２】本発明の実施形態に係る第１の通信装置の外観の一例を図解した図である。
【図３】本発明の実施形態に係る第１の通信装置の構成の一例を示すブロック図である。
【図４】本発明の実施形態に係る第２の通信装置の構成の一例を示すブロック図である。
【図５】第１の通信装置の緊急通報動作の一例を図解した第１の処理フロー図の前半の図である。
【図６】第１の通信装置の緊急通報動作の一例を図解した第１の処理フロー図の後半の図である。
【図７】第１の通信装置の緊急通報動作の一例を図解した第２の処理フロー図の前半の図である。
【図８】第１の通信装置の緊急通報動作の一例を図解した第２の処理フロー図の後半の図である。
【図９】第１の通信装置の緊急通報動作の一例を図解した第３の処理フロー図の前半の図である。
【図１０】第１の通信装置の緊急通報動作の一例を図解した第３の処理フロー図の後半の図である。
【図１１】本発明の他の実施形態に係る第１の通信装置の構成の一例を示すブロック図である。
【図１２】本発明の他の実施形態に係る第２の通信装置の構成の一例を示すブロック図である。
【符号の説明】
【００７８】
１…通信装置の本体、２，２３…表示部、３，２４…キー操作部、４…ＧＰＳ測位部、５，２２…マイク、６，２１…スピーカ、７，１２…アンテナ、８…ＧＰＳ制御部、９…音声処理部、１０，１３…通信処理部、１１，２５…制御部、２０…アナログ通信処理部、２６…データ通信処理部
【図１】
2005079693.tif 000003
【図２】
2005079693.tif 000004
【図３】
2005079693.tif 000005
【図４】
2005079693.tif 000006
【図５】
2005079693.tif 000007
【図６】
2005079693.tif 000008
【図７】
2005079693.tif 000009
【図８】
2005079693.tif 000010
【図９】
2005079693.tif 000011
【図１０】
2005079693.tif 000012
【図１１】
2005079693.tif 000013
【図１２】
2005079693.tif 000014